(57)【要約】      （修正有）【課題】レンズを交換可能な眼鏡脚なしの眼鏡を提供する。【解決手段】２つの眼鏡リム２０と、弾性連結片１０と、２つの鼻パッド３０とを含む。各眼鏡リム２０の内部には、レンズ２３が収容される。該弾性連結片１０は、該２つの眼鏡リム２０の間に結合されており、横向きの頂部１１と、該頂部１１の両端からそれぞれ下方へ延在する２つの接続部１２とを含む。各鼻パッド３０は、対応する眼鏡リム２０の内側に結合されており、パッド体３１と結合段３４とを含み、該パッド体３１の内部には、一方の接続部１２の下段１５が挿入される嵌め孔３２を設けており、該結合段３４の上部３７内には、一方の眼鏡リム２０の内側の頂段２５が挿入される溝３５を設けている。該２つの鼻パッド３０の間隙は、装着者の鼻梁の幅よりも小さい。【選択図】図２
0003207301.tif 000002
【実用新案登録請求の範囲】
【請求項１】
内部にレンズが収容される２つの眼鏡リムと、
前記２つの眼鏡リムの間に結合されており、横向きの頂部と、前記頂部の両端からそれぞれ下方へ延在する接続部とを含み、前記接続部は、前記頂部に接続された上段と前記上段から下方へ延在する下段とを有し、前記上段は前記頂部から内方へ傾斜する弾性連結片と、
対応する眼鏡枠の内側にそれぞれ結合されており、パッド体と結合段とを含み、前記パッド体の内部には一方の接続部の下段が挿入される嵌め孔を設けており、前記結合段は前記パッド体に接続された下部と、前記下部から上方へ延在する上部とを含み、前記結合段の上部内には一方の眼鏡枠の内側が挿入結合される溝を設けている２つの鼻パッドと、
を備えることを特徴とする眼鏡脚なしの眼鏡。
【請求項２】
各接続部の下段には２つの嵌め孔が設けられ、各眼鏡枠の内側には開口が設けられており、各眼鏡枠は、前記開口から分離する２つの端部を有し、各端部は、それぞれ外方へ延在しており、前記弾性連結片の対応する嵌め孔に挿入結合するための結合脚を有し、前記接続部の下段が前記パッド体の嵌め孔に挿入された場合、前記結合段の上部は前記接続部の上段に当接されることを特徴とする請求項１に記載の眼鏡脚なしの眼鏡。
【考案の詳細な説明】
【技術分野】
【０００１】
本考案は、眼鏡に関し、特にレンズを交換可能な眼鏡脚なしの眼鏡に関するものである。
【背景技術】
【０００２】
従来の眼鏡は、一般的に、眼鏡リムと２つの眼鏡脚とからなる。眼鏡リムの中央には一組の鼻パッドが設けられ、眼鏡リムの両側には枢接部がそれぞれ設けられ、各眼鏡脚の先端が眼鏡リムの一方の枢接部とねじで結合されることで、各眼鏡脚は、眼鏡リムに対して内方へ折り畳み収納しまたは外方へ拡開することができる。眼鏡を装着する場合は、該２つの眼鏡脚を利用者の耳の上方に掛けるとともに該鼻パッドを鼻梁の上に当接する。しかしながら、利用者は、眼鏡を長らく装着している場合、眼鏡脚が耳介に圧迫するため、不快感を感じることになる。また、従来の眼鏡は、レンズ交換の実施には便利ではない。
【考案の概要】
【考案が解決しようとする課題】
【０００３】
そこで、本考案は、利用者が閲読、テレビを見るという静的活動において装着するのに適し、眼鏡脚の耳介への圧迫による不快感を回避するための眼鏡脚なしの眼鏡を提供することを目的とする。
【課題を解決するための手段】
【０００４】
本考案に係る眼鏡脚なしの眼鏡は、弾性連結片と、２つの眼鏡リムと、２つの鼻パッドとを含む。各眼鏡リムの内部には、レンズが収容される。該弾性連結片は、該２つの眼鏡リムの間に結合されており、横向きの頂部と、該頂部の両端からそれぞれ下方へ延在する接続部とを含む。各鼻パッドは、対応する眼鏡リムの内側に結合されており、パッド体と結合段とを含み、該パッド体の内部には、一方の接続部の下段が挿入される嵌め孔を設けており、該結合段は、該パッド体に接続された下部と、該下部から上方へ延在する上部とを含み、該結合段の上部内には、一方の眼鏡リムの内側が挿入結合される溝を設けている。該２つの鼻パッドの間隙は、装着者の鼻梁の幅よりも小さい。
【考案の効果】
【０００５】
本考案に係る眼鏡脚なしの眼鏡によれば、眼鏡脚が長らく耳介に圧迫することによる不快感を回避するとともに、眼鏡を異なる顔の形状、異なる頭部の大きさに適応させることができる。
【図面の簡単な説明】
【０００６】
【図１】本考案に係る眼鏡脚なしの眼鏡の立体図である。
【図２】図１における眼鏡の一部の分解図である。
【図３】図１における眼鏡の一部の断面図である。
【図４】図１における眼鏡がユーザの顔に装着された様子の模式図である。
【考案を実施するための形態】
【０００７】
図１〜４に示すように、本考案に係る眼鏡脚なしの眼鏡は、弾性連結片１０と、２つの眼鏡リム２０と、２つの鼻パッド３０とを含む。弾性連結片１０は、該２つの眼鏡リム２０の間に結合されており、横向きの頂部１１と、頂部１１の両端からそれぞれ下方へ延在する２つの接続部１２とを含み、接続部１２は、折り曲げ状となっており、頂部１１に接続された上段１４と、上段１４から下方へ延在する下段１５とを含む。上段１４は、頂部１１から内方へ傾斜し、頂部１１との間で９０度以下の挟み角を有し、下段１５は、上段１４から外方へ傾斜し、上段１４との間で９０度以上の挟み角を有することで、接続部１２は、弾性回復力を有する。接続部１２の下段１５には少なくとも１つの嵌め孔１３が設けられている。この実施例において、下段１５には２つの嵌め孔１３が設けられている。
【０００８】
各眼鏡リム２０の内部には、レンズ２３が収容される。この実施例において、各眼鏡リム２０の内側２６には、開口２１が設けられている。各眼鏡リム２０は、開口２１から分離する２つの端部２４を有する。各眼鏡リム２０の２つの端部２４に力を入れて拡開しようとする場合は、交換の容易化のために、レンズ２３を眼鏡リム２０の内部から取り外すことができる。各眼鏡リム２０の２つの端部２４は、それぞれ外方へ延在しており、弾性連結片１０の対応する嵌め孔１３に挿入結合するための結合脚２２を有する。
【０００９】
各鼻パッド３０は、軟質弾性体であり、かつ対応する眼鏡リム２０の内側２６に結合されている。各鼻パッド３０は、パッド体３１と結合段３４とを含み、パッド体３１の内部には接続部１２の下段１５が挿入される嵌め孔３２を設けている。結合段３４は、折り曲げ状となっており、パッド体３１に接続された下部３６と、下部３６から上方へ延在する上部３７とを含む。下部３６には嵌め孔１３と連通する貫通孔３３が設けられていることで、眼鏡リム２０の結合脚２２は、貫通孔３３を通して弾性連結片１０の嵌め孔１３内に挿入し結合することができる（図３参照）。上部３７と内側２６との間で９０度以上の挟み角を有することで、接続部１２の下段１５がパッド体３１の嵌め孔３２に挿入された場合、上部３７は、接続部１２の上段１４の一方の側面に当接される。さらに、結合段３４の上部３７内には、眼鏡リム２０の内側２６における頂段２５が挿入結合される溝３５を設けている。
【００１０】
本考案に係る眼鏡によれば、組み立ての場合には、弾性連結片１０の接続部１２の下段１５を対応するパッド体３１の嵌め孔３２内に挿入し、さらに眼鏡リム２０の結合脚２２をパッド体３１の貫通孔３３に通して嵌め孔１３内に挿入し、眼鏡リム２０の頂段２５を結合段３４の溝３５内に挿入することにより、弾性連結片１０を２つの眼鏡リム２０の間に強固に結合させる。本考案に係る２つの鼻パッド３０の間隙が、利用者の鼻梁幅よりもやや小さいように構成され、また、弓形弾性片が弾性伸縮機能を有するため、弾性連結片１０の２つの接続部１２が外力を受けて拡開された場合、２つの鼻パッド１２の間隙は大きくなり、外力が解消された場合、２つの鼻パッド１２の間隙は、弾性連結片１０の弾力によって回復される。
【００１１】
本考案に係る眼鏡によれば、利用者の顔に装着する場合の実施例として、２つの眼鏡リム２０を手で拡開することで２つの鼻パッド３０の隙間を大きくし、該眼鏡の２つの眼鏡リム２０を利用者の両眼の前方に掛け、次に、手を放して、弾性連結片１０の回復弾性力により２つの鼻パッド３０を利用者の鼻梁上に挟持することができる（図４参照）。
【００１２】
ここで説明しておきたいのは、本考案に係る眼鏡は、装着の安定性ではなく、閲読、テレビを見るという静的活動時の装着に適するように提供することを目的とするものであり、眼鏡脚が長らく耳介に圧迫することによる不快感を回避する点である。この実施例において、レンズ２３の交換の必要があった場合には、結合脚２２を嵌め孔１３から分離させることでレンズの交換を行うことができる。しかしながら、実施可能な実施例において、弾性連結片１０及び眼鏡リム２０は、半田付けにより結合してもよいし、一体的に形成してもよい。
【００１３】
上記のように、これらの実施の形態は本考案の好ましい実施例のみであり、本考案の特許請求の範囲に基づいてなされる等価の変更や修飾は、本考案の技術範囲に入るものである。
【００１４】
以上のように、本考案では、内部にレンズが収容される２つの眼鏡リムと、前記２つの眼鏡リムの間に結合されており、横向きの頂部と、前記頂部の両端からそれぞれ下方へ延在する接続部とを含み、前記接続部は、前記頂部に接続された上段と前記上段から下方へ延在する下段とを有し、前記上段は前記頂部から内方へ傾斜する弾性連結片と、対応する眼鏡枠の内側にそれぞれ結合されており、パッド体と結合段とを含み、前記パッド体の内部には一方の接続部の下段が挿入される嵌め孔を設けており、前記結合段は前記パッド体に接続された下部と、前記下部から上方へ延在する上部とを含み、前記結合段の上部内には一方の眼鏡枠の内側が挿入結合される溝を設けている２つの鼻パッドと、を備えることを特徴とする眼鏡脚なしの眼鏡とするものである。
【００１５】
また、各接続部の下段には２つの嵌め孔が設けられ、各眼鏡枠の内側には開口が設けられており、各眼鏡枠は、前記開口から分離する２つの端部を有し、各端部は、それぞれ外方へ延在しており、前記弾性連結片の対応する嵌め孔に挿入結合するための結合脚２２を有し、前記接続部の下段が前記パッド体の嵌め孔に挿入された場合、前記結合段の上部は前記接続部の上段に当接されるものとする。
【産業上の利用可能性】
【００１６】
本考案に係る眼鏡脚なしの眼鏡によれば、眼鏡脚が長らく耳介に圧迫することによる不快感を回避するとともに、眼鏡を異なる顔の形状、異なる頭部の大きさに適応させることができる。
【符号の説明】
【００１７】
１０  弾性連結片
１１  頂部
１２  接続部
１３  嵌め孔
１４  上段
１５  下段
２０  眼鏡リム
２１  開口
２２  結合脚
２３  レンズ
２４  端部
２５  頂段
２６  内側
３０  鼻パッド
３１  パッド体
３２  嵌め孔
３３  貫通孔
３４  結合段
３５  溝
３６  下部
３７  上部
【図１】
0003207301.tif 000003
【図２】
0003207301.tif 000004
【図３】
0003207301.tif 000005
【図４】
0003207301.tif 000006